(57)【要約】【課題】昼間だけでなく、夜間も凧揚げを楽しむことができるとともに、室内インテリアとしての機能も備えた凧を提供すること。【解決手段】凧本体を構成するシート材６の表面に、通常の塗料による装飾６１に加え、蓄光塗料による装飾６２や蛍光塗料による装飾６３を施すようにする。【選択図】　図１
2004073309.tif 000002
【特許請求の範囲】
【請求項１】
凧本体を構成するシート材の表面に、通常の塗料による装飾に加え、蓄光塗料による装飾を施すようにしたことを特徴とする凧。
【請求項２】
蛍光塗料による装飾を付加して施すようにしたことを特徴とする請求項１記載の凧。
【請求項３】
装飾を印刷により施すようにしたことを特徴とする請求項１又は２記載の凧。
【請求項４】
装飾を転写シールにより施すようにしたことを特徴とする請求項１又は２記載の凧。
【発明の詳細な説明】
【０００１】
【発明の属する技術分野】
本発明は、凧に関し、特に、昼間だけでなく、夜間も凧揚げを楽しむことができるとともに、室内インテリアとしての機能も備えた凧に関するものである。
【０００２】
【従来の技術】
古来より種々の凧が考案され、用いられているが、近年、流体力学、特に、航空力学を設計に取り入れることにより、飛行特性を改善するとともに、デザイン的にも優れた凧が提案されている（例えば、特開２０００−９８８７８号公報、特開２０００−２６２７７２号公報参照）。
【０００３】
【発明が解決しようとする課題】
ところで、従来の凧は、いずれも、昼間の利用を想定して、凧本体を構成するシート材の表面に、通常の塗料を用いて適宜の装飾を施すようにしている。
【０００４】
このため、従来の凧は、例えば、夜間に凧揚げを楽しむことができず、また、通常の塗料を用いた装飾だけでは、室内インテリアとしても、発展性に乏しいという問題を有していた。
【０００５】
本発明は、かかる問題点に鑑み、昼間だけでなく、夜間も凧揚げを楽しむことができるとともに、室内インテリアとしての機能も備えた凧を提供することを目的とする。
【０００６】
【課題を解決するための手段】
上記目的を達成するため、本発明の凧は、凧本体を構成するシート材の表面に、通常の塗料による装飾に加え、蓄光塗料による装飾を施すようにしたことを特徴とする。
【０００７】
この凧は、凧本体を構成するシート材の表面に、通常の塗料による装飾に加え、蓄光塗料による装飾を施すようにしたため、昼間は、主として通常の塗料による装飾を、夜間は、蓄光塗料による装飾を、それぞれ見ながら、昼間だけでなく、夜間も凧揚げを楽しむことができ、また、蓄光塗料による装飾を、例えば、隠し絵として施すことにより、室内インテリアとしての機能も備えた多様なデザインの凧を提供することができる。
【０００８】
この場合において、蛍光塗料による装飾を付加して施すようにすることができる。
【０００９】
これにより、例えば、ブラックライトを照射することで、より鮮やかな色彩で発光させることができ、室内インテリアとしての機能を一層向上させた多様なデザインの凧を提供することができる。
【００１０】
また、装飾を、印刷又は転写シールにより施すようにすることができる。
【００１１】
これにより、凧本体を構成するシート材の材質や凧の販売形態に応じて、容易に装飾を施すことができる。
【００１２】
【発明の実施の形態】
以下、本発明の凧の実施の形態を図面に基づいて説明する。
【００１３】
図１〜図３に、本発明の凧の一実施例を示す。
この凧１は、従来例と同様、凧の対称軸となる中心骨２、主翼の主要部となる空力中心の近傍に配置された主翼主骨３、板骨４、主翼補強骨５を主要構成部材とし、中心骨２と平行にかつ、板骨４の両端部から中心骨を挟んで対称に主翼中間縦骨１１を、尾翼１６の側方外縁部分の形状保持のための尾翼骨１２を、主翼１５端部の上方外縁部分の形状保持のために主翼細骨１３を、主翼１５の中間部分を補強する主翼中間補強骨１４をそれぞれ、所定の骨組みで、凧本体を構成する所要の強度を有する和紙、洋紙、樹脂シート等からなるシート材６上に接着し固定して構成される。
【００１４】
この場合において、板骨４を除く各骨材には、従来と同様に、グラスファイバ又はカーボンファイバ強化樹脂、ヒノキ、ラミン等の木材、中実、中空又は発泡した樹脂材料、竹ひご、ピアノ線等の金属材料等からなる所要の剛性を有する線材を使用する。
また、板骨４は、非直線形状で所要の強度を有する発泡樹脂シート部材により構成し、主翼１５中央上方部分から凧の中心先端部分を通り、他方の主翼１５中央上方部分を覆うように取り付けるようにする。この板骨４を構成する発泡樹脂シート部材は、特に限定されるものではないが、例えば、発泡樹脂シートの裏面に剥離紙を配した両面貼着材（両面テープ）を貼着したものを打ち抜き等により切り抜いて形成することが好ましい。
【００１５】
また、主骨主骨３は、中心骨２、主翼補強骨５、主翼中間縦骨１１、主翼中間補強骨１４を越える高さを有し、中心骨２を挟んで対称に取り付けた取付部材７ａ、７ｂ、７ｃ、７ｄ、７ｅ（以下、総称して「取付部材７」という。）を介して取り付けるようにする。この場合、取付部材７は、立方体の木材（ヒノキ、ラミン等）を以て構成するが、材質は木材に限られるものではない。
【００１６】
また、主翼補強骨の尾翼近傍に中心骨を挟んで対称に、尾翼１６の安定性向上のために板状の中心補強骨１７を設ける。
【００１７】
１８は、凧本体を構成するシート材６の中心線に沿って貼り付ける繊維補強テープ等の補強シートを示し、これにより、凧糸から受ける引張力に対してもシート材６が破損することなく充分な強度を保つことができる。
【００１８】
さらに、左右の主翼１５に、一定の上半角をもたせるためのグラスファイバ又はカーボンファイバ強化樹脂等からなる棒状のバネ８の取り付ける。
バネ８の長さと直径及び強度は、凧の主翼主骨３に許容限度の風力が加わった場合に大きく変形し、風圧がそれ以上には主翼主骨３に加わらない程度のもので、例えば、凧の翼面積が、１．２ｍ２以下の場合にあっては、ポリエステルやナイロン等の化繊糸＃１００の強度限度の風力が加わった場合に大きく変形し、風圧がそれ以上、凧本体を構成するシート材６に加わらない程度のものを用いることが好ましい。
この棒状のバネ８は、図３に示すように、主骨主骨３の中央部分近傍位置に、中心骨２を挟んで対称に配設するようにするが、このとき、熱収縮チューブ１０で固定した中空構造のバネ受け９を図３（ｂ）で示すように、内向きに折り曲げ、棒状のバネ８を矢符Ｙの方向から差し込むようにして取り付けるようにする。
【００１９】
この場合において、凧本体を構成するシート材６の表面に、通常の塗料による装飾６１に加え、蓄光塗料による装飾６２や、さらに必要に応じて、蛍光塗料による装飾６３を付加して施すようにする。
【００２０】
これらの装飾は、凧本体を構成するシート材６の材質や凧の販売形態に応じて、シート材６に直接印刷したり、転写シールを用いて転写することにより施すようにすることができる。
【００２１】
そして、このように、通常の塗料による装飾６１に加え、蓄光塗料による装飾６２や、さらに必要に応じて、蛍光塗料による装飾６３を付加して施すようにすることにより、昼間は、主として通常の塗料による装飾６１を、夜間は、蓄光塗料による装飾６２を、それぞれ見ながら、昼間だけでなく、夜間も凧揚げを楽しむことができ、また、蓄光塗料による装飾６２や蛍光塗料による装飾６３（例えば、ブラックライトを照射することで、より鮮やかな色彩で発光させることができる。）を、例えば、隠し絵として施すことにより、室内インテリアとしての機能も備えた、遊技効果や面白みを増大させた多様なデザインの凧を提供することができる。
【００２２】
なお、凧本体を構成するシート材６に施す装飾は、本実施例の鳥のほか、蝶、翼竜、花、星座等、任意のデザインを採用することができ、デザインに応じて、通常の塗料による装飾６１、蓄光塗料による装飾６２及び蛍光塗料による装飾６３を、例えば、蓄光塗料による装飾６２を輪郭等のポイントとなるところに用い、通常の塗料による装飾６１及び蛍光塗料による装飾６３で塗りつぶすようにしたり、さらに、重ね塗りすることにより上記のように隠し絵とする等、適宜使い分けることができる。
【００２３】
以上、本発明の凧について、その実施例に基づいて説明したが、本発明は上記実施例に記載した構成に限定されるものではなく、その趣旨を逸脱しない範囲において適宜その構成を変更することができるものである。
【００２４】
【発明の効果】
本発明の凧によれば、凧本体を構成するシート材の表面に、通常の塗料による装飾に加え、蓄光塗料による装飾を施すようにしたため、昼間は、主として通常の塗料による装飾を、夜間は、蓄光塗料による装飾を、それぞれ見ながら、昼間だけでなく、夜間も凧揚げを楽しむことができ、また、蓄光塗料による装飾を、例えば、隠し絵として施すことにより、室内インテリアとしての機能も備えた、遊技効果や面白みを増大させた多様なデザインの凧を提供することができる。
【００２５】
また、蛍光塗料による装飾を付加して施すようにすることにより、例えば、ブラックライトを照射することで、より鮮やかな色彩で発光させることができ、室内インテリアとしての機能を一層向上させた多様なデザインの凧を提供することができる。
【００２６】
また、装飾を、印刷又は転写シールにより施すようにすることにより、凧本体を構成するシート材の材質や凧の販売形態に応じて、容易に装飾を施すことができる。
【図面の簡単な説明】
【図１】本発明の凧の一実施例を示す正面図である。
【図２】本発明の凧の一実施例を示す背面図である。
【図３】同バネ受けの取り付けを説明する斜視図である。
【符号の説明】
１　　凧
２　　中心骨
３　　主翼主骨
４　　板骨
５　　主翼補強骨
６　　シート材
６１　通常の塗料による装飾
６２　蓄光塗料による装飾
６３　蛍光塗料による装飾
７　　取付部材
８　　バネ
９　　バネ受け
１０　熱収縮チューブ
１７　中心補強骨
１８　補強シート
【図１】
2004073309.tif 000003
【図２】
2004073309.tif 000004
【図３】
2004073309.tif 000005